【事件の表示】
　平成　８年特許願第１４１０２４号「自動壁紙糊付機」拒絶査定不服審判事件〔平成　９年　３月１８日出願公開、特開平　９−　７０５６３〕について、次のとおり審決する。
【結　論】
　本件審判の請求は、成り立たない。
【理　由】
第１．手続の経緯・本願発明　　
　本願は、平成８年５月１０日（優先権主張平成７年６月２８日）の出願であって、平成１７年１２月１６日付けで拒絶理由が通知され、平成１８年２月１７日付けで手続補正がなされると共に意見書が提出され、平成１８年５月２５日付けで拒絶査定がなされ、平成１８年６月３０日に拒絶査定に対する審判請求がなされ、その後、当審において平成１９年８月３０日付けで拒絶理由が通知され、平成１９年１１月５日付けで手続補正がなされると共に意見書が提出されたものであり、その請求項１に係る発明（以下、「本願発明」という。）は、上記平成１９年１１月５日付けの手続補正によって補正された明細書及び図面の記載からみて、特許請求の範囲の請求項１に記載された事項により特定されるとおりのものと認められるところ、次のとおりである。　
　
「【請求項１】　回転駆動される複数のロールによりシート状壁装材を所定の経路に沿って導出しつつ、糊桶内の糊を前記壁装材の裏面に塗布する自動壁紙糊付機本体と、　
　糊付機本体に着脱自在に取付けられ、壁装材の長さを検尺して表示手段に表示する検尺手段を備えた制御装置とを備えた自動壁紙糊付機において、
　糊付機本体側に設けられ、何れかの前記ロールの回転角度を検出して検出信号を発する回転検出手段と、
　糊付機本体側と制御装置側とに空間を介して設けられ、この検出信号に応じた送信信号を送受信する送受信手段と、
　制御装置側に設けられ、この送受信手段の受信信号をカウントして、予め定められた変換値に応じてロールの回転角度から糊付けされた壁装材長さを算出する演算手段とを備え、
　前記回転検出手段は、前記ロールの軸端に装着されたスリットプレートと、このスリットプレートのスリットの回転により生じる光の通過の有無に応じたＯＮ，ＯＦＦのスイッチングによる検出信号を発するフォトマイクロセンサーとを備え、
　前記送受信手段として、前記スイッチングによる検出信号に応じた磁界を発生させる１次側コイルと、１次側コイルで発生された磁界に応じた電気信号を発生させる２次側コイルとを備えたことを特徴とする自動壁紙糊付機。」
　
　
第２．引用文献記載の発明
２−１．引用文献１　
（１）当審における平成１９年８月３０日付け拒絶理由に引用された、本願の出願前に頒布された刊行物である実願平４−８４６２号（実開平５−６０５６０号）のＣＤ−ＲＯＭ（以下、「引用文献１」という。）には、図面とともに、次の事項が記載されている。　
　
ア．「【図面の簡単な説明】　
【図１】本考案の自動壁紙糊付機の一実施例の構成を示した説明図である。
【図２】コントロールボックスの側面を示す説明図である。
【図３】コントロールボックスの糊付機本体への取付けの説明図である。
【図４】従来の自動壁紙糊付機の構成を示す説明図である。」（【図面の簡単な説明】）　
　
イ．「【０００１】　
    【産業上の利用分野】
  本考案は、例えば屋内の壁面にシート状壁装材を貼付するに際して長尺の壁装材の裏面に糊を連続的に塗布するための自動壁紙糊付機に関するものである。」（段落【０００１】）  　
　
ウ．「【０００４】　
    【考案が解決しようとする課題】　
  ところで、糊付作業が終了した際には次回の作業のために、糊桶３及び各ロール６〜１１等に付着した糊をきれいに洗浄する必要がある。洗浄の際に洗浄水が操作盤に侵入して、短絡等の障害を与えないため、脱着したり細心の注意が払われている。しかしながら、駆動用のモータにおいては、脱着不能であり、操作盤３に比べて耐水性はよいものの、洗浄の後、短絡等の故障も生じることがあった。」（段落【０００４】）　
　
エ．「【０００５】　
  本考案は、制御系及び駆動源を自動糊付機本体から着脱可能であり、特に簡単な操作で着脱可能であり、装着の際には確実に駆動源の駆動を駆動系に伝えることのできる自動壁紙糊付機を得ることを目的とする。」（段落【０００５】）　
　
オ．「【０００９】　
    【作用】　
  本考案においては、モータを装荷して複数のロールの一端側に取り付けられる駆動ユニットと；前記複数のロールの一端に設置され、前記駆動ユニットを保持する保持枠と；該保持枠側又は前記駆動ユニット側に設置された掛止ピンと、前記駆動ユニット側又は保持枠側に設置された前記掛止ピンを保持する掛止溝とを備え；前記駆動ユニットを前記保持枠内に掛止ピンと掛止溝とを掛止させて取り付ける際に、前記駆動ユニットのモータに装着されたモータギアと前記複数のロールに連動するロールギアとを噛合させるものであるため、自動壁紙糊付機の洗浄の際には、駆動ユニットを脱着することができ、洗浄水によって駆動源が短絡すること等がない。また、モータを保持した重い駆動ユニットであっても保持枠が確実に保持することができる。」（段落【０００９】）　　
　
カ．「【００１０】　
  加えて、上方が開放された保持枠に、上方から前記駆動ユニットを前記保持枠内に下方に移動させることにより、前記掛止ピンと掛止溝とを掛止させるものであるため、モータを保持した重い駆動ユニット（５〜１０ｋｇ）であっても、下方に移動させる掛止操作が駆動ユニットの自重で行うこととなり、簡単な操作で着脱可能となる。」（段落【００１０】）　
　
キ．「【００１２】　
　【実施例】　
　図１は本考案の自動壁紙糊付機の一実施例の構成を示した説明図である。
壁紙糊付機２０は、脚部２４で支えられた糊桶２３内蔵の本体部２１と、本体部２１の後面側に架台２２によって回転可能に支持されたクロスロール３３と、本体部２１の前面側に配置されたクロス折り畳み板２５とによって主に構成されている。」（段落【００１２】）　
　
ク．「【００１４】
  本体部２１には、糊桶２３上のクロス通過面の下方部分において、クロス取り込み用のピンチロールを構成する下ロール３０’、糊付けロール２６、および均しロール２８が平行に配列されて配置されている。糊付けロール２６はフレーム側板３７に圧入されたボールベアリングにより軸受され、下ロール３０’と均しロール２８はそれぞれフレーム側板３７に穿たれた孔に直接または固体潤滑リングを介して軸受されている。」（段落【００１４】）
　
ケ．「 【００１５】　
  本体上部カバー３５には、クロス通過面の上方部分において、取り込み用の前記ピンチロールを構成する上ロール１０とクロスに送り出し張力を付与するためのトライブロール２９とが平行に配列され、これらは上部カバー３５のフレーム側板に穿たれた孔に直接または固体潤滑リングを介して軸受されている。また上ロール１０とトライブロール２９との間にはクロスを上から押えて追従回転する押えロール３１が平行に配置されている。」（段落【００１５】）　
　
コ．「【００１７】　
  図２はコントロールボックスの側面を示す説明図であり、図３はコントロールボックスの糊付機本体への取付けの説明図である。　
  図２に示す通り、各ロールを駆動するモータ３２は操作パネル４５を有したコントロールボックス４３に装荷されている。」（段落【００１７】）　
　
サ．「【００１８】　
  図３に示す通り、本体部２１およびその本体カバー３４はそれぞれ内部に左右の軸受板としての一対ずつのエンジニアリングプラスチック製のフレーム側板３７を有している。一方のフレーム側板３７には更に上部が開放となった保持枠４０が取りつけられ、その内部には掛止ピン４１が突設されている。一方、保持枠４０の内形に合致する嵌合面４２を有したコントロールボックス４３が本体部２１の一端部に取り付けられる。保持枠４０の掛止ピン４１と係合する掛止溝４４が上下方向に穿設されている。また、コントロールボックスの下面にはバネ機構で常に保持枠側へ付勢されているロック棒４６が設けられ、対向する保持枠の下部にはロック孔４７が設けられている。」（段落【００１８】）　
　
シ．「【００１９】　
  コントロールボックス４３の取付けは、図３の矢印Ａに示す通り、嵌合面４２を保持枠４０内に当接させる。この場合、掛止ピン４１が掛止溝４４の下方に係合させるように調節し、上方から下方にスライドさせて掛止ピンを掛止溝４４の上部に掛止させる。このとき、コントロールボックス４３の下面に設置したロック棒４６が保持枠４０の下部に穿設されたロック孔４７に嵌合して、コントロールボックスの上方への移動を阻害し、最良の位置に固定する。尚、５０は糊付機本体に種々設置したセンサからの情報をコントロールボックス内に導入するセンサプラグである。」（段落【００１９】）
　
ス．「【００２１】　
  糊付け作業に際しては、本体上部カバー３５を開いてクロスロールからクロスの先端を引き出し、本体後面側から上下ピンチロール３０，３０’の間を通して前面側に垂らし、本体上部カバー３５を閉じてからモータ３２を所定の初期量だけ駆動する。モータ３２の駆動によってギヤで連結された各ロールが所定の周速比で回転し、これによって糊上げロール３５で糊付けロール２６に付着された桶内の糊がドクタロール２７であらかじめ調整された適量に制御され、押えロール３１による押え効果のもとに糊付けロール２６の回転と共に移動するクロスの裏面に糊付けロール２６の表面の糊が転写塗布される。」（段落【００２１】）　
　
セ．「【００２２】　
  糊付けされたクロスは次いでトライブロール２９と均しロール２８とによって適度な張力を与えられた状態で牽引されて本体前面に出てくるが、この際に均しロール２８の周速差による糊面の均し作用が与えられる。クロスが初期量だけ前面に出てきたらモータ３２を一旦停止して先端の糊未付着部分をカッターガイド３６に沿ってカッタで切断し、次にコントロールボックス４３の操作パネルから所要のクロス長を入力し同様にモータ３２を駆動すると、全長の裏面に糊付けされた所要長さのクロスが前面のクロス受け（トレイ）４に折りたたまれた状態で堆積する。」（段落【００２２】）　
　
（２）ここで、上記記載事項ア．ないしセ．及び第１ないし第４図から、次のことが分かる。　
　
　上記ア．、イ．、第１図ないし第４図の記載から、シート状壁装材を貼付するに際して長尺の壁装材の裏面に糊を連続的に塗布するための自動壁紙糊付機に関するものであることが分かる。　
　
　上記ウ．、エ．、オ．、カ．及びコ．の記載から、自動壁紙糊付機の洗浄の際には、駆動ユニットであるコントロールボックスを簡単な操作で脱着でき、洗浄水による駆動源の短絡等の防止を目的としていることが分かる。
　
　上記ア．、キ．、ク．、ケ．、ス．、セ．及び第１図ないし第３図の記載から、壁紙糊付機が、回転駆動する糊付けロール２６、均しロール２８、トライブロール２９、ピンチロール３０，３０’及び押えロール３１を有しており、これら複数のロールによりシート状壁装材を所定の経路に沿って導出しつつ、糊桶２３内の糊を壁装材の裏面に塗布していることが分かる。　
　
　上記ア．、コ．、サ．、シ．及び第１図ないし第３図の記載から、コントロールボックス４３が本体部２１に着脱自在に取付けられていることが分かる。　
　
　上記セ．の記載から、コントロールボックス４３によってモータ３２を駆動し、シート状壁装材を所用長さ導出する制御を行っていることが分かる。　また当該制御を行うためには、シート状壁装材の長さの検尺が必須であることは明らかであることから、該コントロールユニット４３には、シート状壁装材の長さを検尺する手段が当然に備えられているものと認める。　
　
　上記シ．及び第３図の記載から、コントロールボックス４３側と糊付機本体側との間に、該本体に設置したセンサからの情報をコントロールボックスに導入するセンサプラグ５０及びケーブルが存在していることが分かる。また、該情報の導入の際には、該情報に応じた検出信号を当然に送受信しているものと認める。更に、糊付機本体に各種センサを有していることが分かる。　
　なお、第３図に記載されたケーブルの先端に存在するプラグは、センサプラグ５０であると認められ、また、上記情報は、コントロールボックスに導入されていることから、壁紙糊付機制御情報であると認める。　
　
（３）引用文献１記載の発明　
　上記記載事項（１）、（２）より、引用文献１には次の発明が記載されていると認められる。　
「回転駆動される糊付けロール２６、均しロール２８、トライブロール２９、ピンチロール３０，３０’及び押えロール３１によりシート状壁装材を所定の経路に沿って導出しつつ、糊桶２３内の糊を前記壁装材の裏面に塗布する本体部２１と、　
　本体部２１に着脱自在に取付けられ、壁装材の長さを検尺する検尺手段を備えたコントロールボックス４３とを備えた壁紙糊付機２０において、　
本体部２１側に設けられ、壁紙糊付機制御情報を検出して検出信号を発するセンサと、　
　本体部２１側とコントロールボックス４３側とに設けられ、この検出信号に応じた送信信号を送受信するケーブル及びセンサプラグ５０と、
を備えた壁紙糊付機２０。」（以下、「引用文献１記載の発明」という。）
　
２−２．引用文献２　
（１）当審における平成１９年８月３０日付け拒絶理由に引用された、本願の出願前に頒布された刊行物である実願平５−９５５４号（実開平６−６３３９９号）のＣＤ−ＲＯＭ（以下、「引用文献２」という。）には、図面とともに、次の事項が記載されている。　
　
ア．「【図面の簡単な説明】　
【図１】図１は本考案の一実施例の構成を示す説明図である。
【図２】本考案の別の実施例の構成を示す説明図である。
【図３】従来の自動糊付機の一実施例の構成を示した説明図である。
【図４】図３の糊付機の要部である糊桶とロール構体の構成を示す側面図である。
【図５】図４のＡ−Ａ矢視に相当する平面図である。
【図６】図４のＢ−Ｂ矢視図である。
【図７】図５のＣ−Ｃ矢視図である。」（【図面の簡単な説明】）　
　
イ．「【０００１】　
 【産業上の利用分野】　
  本考案は、主に屋内の壁紙にシート状壁装材を貼付するに際して長尺の壁装材の裏面に糊を連続的に塗布するための壁紙糊付機に関するものである。」（段落【０００１】）　
　
ウ．「【０００５】　
  図３に示す通り、壁紙糊付機１は、脚部２に支えられた糊桶内蔵の本体部３と、本体部３の後面側に架台によって回転可能に支持されたクロスロール４と、本体部３の前面側に配置されたクロス受け５とによって主に構成されている。尚、９は上蓋カバーである。」（段落【０００５】）　
　
エ．「【０００６】　
  壁装材すなわちクロス７はクロスロール４に巻かれている。図４及び図５に示す通り、また、本体部３には内部の糊桶上で開閉可能な上蓋部６が後面側でヒンジ接続されていて、クロス７は上蓋部６の下を通り、本体部３の枠組の一部を構成する金属ステイ７０（図４、図５）の上を接しながら通っている。　
【０００７】　
  図６に示す通り、上蓋部６には、中央部に後述の回転エンコーダ６４によって計測された測長結果を数値表示すると共にモータ８の駆動制御指令を与える操作パネル６５が設けられている。また、糊付機本体部３の前面にはクロスを幅方向に切断する際のカッターをガイドするためのカッターガイド３６が設けられている。」（段落【０００６】及び段落【０００７】）　
　
オ．「【０００９】　
  本体部３には、糊桶上のクロス通過面の下方部分において、クロス取り込み用のピンチロールを構成する下ロール３１、糊付ロール３２、および均しロール３４が平行に配列され、更に糊付ロール３２に接してドクターロール３３と糊上げロール３５とが配置されている。　
  【００１０】　
  糊付ロール３２はフレーム側板３０ａ，３０ｂに圧入されたボールベアリング３７ａ，３７ｂにより軸受され、下ロール３１とドクターロール３３と均しロール３４はそれぞれフレーム側板３０ａ，３０ｂに穿たれた孔に直接または固体潤滑リングを介して軸受されている。　
  【００１１】　
  上蓋部６には、クロス通過面の上方部分において、取り込み用の前記ピンチロールを構成する上ロール６１とクロス７に送り出し張力を付与するためのドライブロール６３とが平行に配列され、これらはフレーム側板６０ａ，６０ｂに穿たれた孔に直接または固体潤滑リングを介して軸受されている。
  【００１２】　
  また、上ロール６１とドライブロール６３との間にはクロス７を上から押えて追従回転する押えロール６２が平行に配置され、この押えロール６２は押え角度調整用リンク６６ａ，６６ｂを介して左右のフレーム側板６０ａ，６０ｂに支持されている。」（段落【０００９】ないし段落【００１２】）
　
カ．「【００１９】　
  糊付けされたクロスは次いでドライブロール６３と均しロール３４とによって適度な張力を与えられた状態で牽引されて本体前面に出てくるが、この際に均しロール３４の周速差による糊面の均し作用が与えられる。クロス７が初期量だけ前面に出てきたらモータ８を一旦停止して先端の糊未付着部分をカッターガイド３６に沿ってカッターで切断し、次に操作パネル６５から所要のクロス長を入力し同様にモータ８を駆動すると、全長の裏面に糊付けされた所要の長さのクロスが前面のクロス受け（トレイ）４に折り畳まれた状態で堆積する。」（段落【００１９】）　
　
キ．「【００２１】　
  測長用の上ロール６１は、クロス７に対して滑ること無く正確に測長するためにゴム製のロールとなっており、このゴムロールの外周長を回転エンコーダ６４で換算して引出されたクロス７の長さを計測表示している。」（段落【００２１】）　
　
ク．「【００３４】　
  図１に示す通り、測長ローラである上ロール６１の一端にその外周に複数のスリットを有する円盤（例えば、外周が１２ｃｍであれば１２スリット、１５ｃｍであれば１５スリット）５２が取付けられている。円盤５２は発光素子５４及び受光素子５３と共にフォトカウンタを構成し、測長ローラの回転量は受光素子５３による通過スリット数のカウントで行なわせる。カウントされたスリット数は補正演算手段５０を介して表示手段５１で引き出し長さとして出力される。」（段落【００３４】）　
　
（２）ここで、上記記載事項ア．ないしク．及び第１ないし第７図から、次のことが分かる。　
　
　上記ア．、イ．及び第１図ないし第７図の記載から、シート状壁装材を貼付するに際して長尺の壁装材の裏面に糊を連続的に塗布するための自動壁紙糊付機に関するものであることが分かる。　
　
　上記ア．、ウ．、オ．、カ．及び第１図ないし第７図の記載から、壁紙糊付機１は回転駆動される下ロール３１、糊付ロール３２、ドクターロール３３、均しロール３４、糊上げロール３５、上ロール６１、押えロール６２及びドライブロール６３によりシート状壁装材を所定の経路に沿って導出しつつ、糊桶内の糊を前記シート状壁装材の裏面に塗布する自動壁紙糊付機本体からなることが分かる。　
　
　上記ア．、エ．、キ．、ク．及び第１図ないし第７図の記載から、上ロール６１の回転角度を検出する複数のスリットを有する円盤５２、発光素子５４及び受光素子５３により、回転量を検出していることが分かる。また、該回転量は、受光素子５３による通過スリット数のカウントをフォトマイクロセンサーの一種であるフォトカウンタによって行っていることが分かり、更に、該スリット数のカウントは上ロール６１の回転に伴い上記スリットを通過する光のＯＮ，ＯＦＦのスイッチングにより発される検出信号により検出されていることが分かる。更に、特に、上記ク．及び第１図から、該検出信号は、上記フォトカウンタが設けられている本体部３側と補正演算手段５０側間でカウント信号として伝達されていることは明らかであり、加えて、補正演算手段５０によって、該信号が引き出し長さとして表示手段５１に出力されていることが分かる。なお、該引き出し長さを出力する際、該信号から予め定められた変換値に応じて当該長さを演算していることは技術常識に照らして明らかである。　
  　
（３）引用文献２記載の発明　
　上記記載事項（１）、（２）より、引用文献２には次の発明が記載されていると認められる。　
「回転駆動される下ロール３１、糊付ロール３２、ドクターロール３３、均しロール３４、糊上げロール３５、上ロール６１、押えロール６２及びドライブロール６３によりシート状壁装材を所定の経路に沿って導出しつつ、糊桶内の糊を前記壁装材の裏面に塗布する本体部３と、
　本体部３に設けられ、引き出し長さを検尺して表示手段５１に表示する検尺手段を備えた補正演算手段５０とを備えた壁紙糊付機において、
　本体部３側に設けられ、上ロール６１の回転量を検出して検出信号を発する円盤５２、発光素子５４、受光素子５３からなるフォトカウンタと、
　補正演算手段５０側に設けられ、検出信号をカウントして、予め定められた変換値に応じて上ロール６１の回転量から糊付けされた引き出し長さを算出する演算手段とを備え、　
　前記円盤５２、発光素子５４、受光素子５３からなるフォトカウンタは、前記上ロール６１の軸端に装着された円盤５２と、この円盤５２のスリットの回転により生じる光の通過の有無に応じたＯＮ，ＯＦＦのスイッチングによる検出信号を発するフォトカウンタとを備えた壁紙糊付機。」（以下、「引用文献２記載の発明」という。）  　
　
　
第３．対比　
　本願発明と引用文献１記載の発明を対比すると、引用文献１記載の発明の「糊付けロール２６、均しロール２８、トライブロール２９、ピンチロール３０，３０’及び押えロール３１」、「シート状壁装材」、「糊桶２３」、「本体部２１」、「コントロールボックス４３」、「ケーブル及びセンサプラグ５０」及び「壁紙糊付機２０」は、それぞれの有する機能に照らして、本願発明の「複数のロール」、「シート状壁装材」、「糊桶」、「自動壁紙糊付機本体」、「制御装置」、「送受信手段」及び「自動壁紙糊付機」にそれぞれ相当する。　
　また、引用文献１記載の発明の「壁紙糊付機制御情報」及び「センサ」と、本願発明の「何れかの前記ロールの回転角度」及び「回転検出手段」は、いずれも、糊付機本体の制御情報及びその情報の検出手段であることから、両者は「壁紙糊付機制御情報」及び「検出手段」の限りにおいて共通する。
　
　してみると、両者は、
「回転駆動される複数のロールによりシート状壁装材を所定の経路に沿って導出しつつ、糊桶内の糊を前記壁装材の裏面に塗布する自動壁紙糊付機本体と、　
　糊付機本体に着脱自在に取付けられ、壁装材の長さを検尺する検尺手段を備えた制御装置とを備えた自動壁紙糊付機において、　
糊付機本体側に設けられ、壁紙糊付機制御情報を検出して検出信号を発する検出手段と、　
　糊付機本体側と制御装置側とに設けられ、この検出信号に応じた送信信号を送受信する送受信手段と、　
を備えた自動壁紙糊付機。」　
の点で一致し、以下の点で相違している。　
　
［相違点１］　
　「制御装置」に関して、本願発明においては、「壁装材の長さを表示手段に表示」し、また「予め定められた変換値に応じてロールの回転角度から糊付けされた壁装材長さを算出する演算手段」を有しているのに対し、引用文献１記載の発明においては、そのような表示制御を行っておらず、また該演算手段を有しているか明らかでない点。　
  　
［相違点２］
　「壁紙糊付機制御情報」及び「検出手段」に関して、本願発明においては、「糊付機本体側に設けられ、何れかの前記ロールの回転角度を検出し」、「ロールの軸端に装着されたスリットプレートと、このスリットプレートのスリットの回転により生じる光の通過の有無に応じたＯＮ，ＯＦＦのスイッチングによる検出信号を発するフォトマイクロセンサーとを備え」た「回転検出手段」を有するのに対し、引用文献１記載の発明においては、壁紙糊付機制御情報と検出手段が如何なるものか明らかでない点。　
　
［相違点３］　
　本願発明においては、「空間を介して設けられ」た「スイッチングによる検出信号に応じた磁界を発生させる１次側コイルと、１次側コイルで発生された磁界に応じた電気信号を発生させる２次側コイルとを備えた」「送受信手段」であり、また、「送受信手段の受信信号をカウント」する「制御装置側に設けられ」た「演算手段」を有するのに対し、引用文献１記載の発明においては、ケーブル及びセンサプラグ５０からなる「送受信手段」であり、また、「演算手段」を有しているか明らかでない点。　
　
　
第４．当審の判断　
　本願発明と引用文献２記載の発明とを対比すると、引用文献２記載の発明の「下ロール３１、糊付ロール３２、ドクターロール３３、均しロール３４、糊上げロール３５、上ロール６１、押えロール６２及びドライブロール６３」、「シート状壁装材」、「糊桶」、「本体部３」、「引き出し長さ」、「表示手段５１」、「補正演算手段５０」、「壁紙糊付機」、「上ロール６１」、「回転量」、「円盤５２、発光素子５４、受光素子５３からなるフォトカウンタ」、「円盤５２」及び「フォトカウンタ」は、それぞれの有する機能に照らして、本願発明の「複数のロール」、「シート状壁装材」、「糊桶」、「自動壁紙糊付機本体」、「壁装材の長さ、又は壁装材長さ」、「表示手段」、「制御装置」、「自動壁紙糊付機」、「何れかの前記ロール」、「回転角度」、「回転検出手段」、「スリットプレート」及び「フォトマイクロセンサー」にそれぞれ相当することから、引用文献２には、　
「回転駆動される複数のロールによりシート状壁装材を所定の経路に沿って導出しつつ、糊桶内の糊を前記壁装材の裏面に塗布する自動壁紙糊付機本体と、　
　糊付機本体に設けられ、壁装材の長さを検尺して表示手段に表示する検尺手段を備えた制御装置とを備えた自動壁紙糊付機において、　
　糊付機本体側に設けられ、何れかの前記ロールの回転角度を検出して検出信号を発する回転検出手段と、　
　制御装置側に設けられ、信号をカウントして、予め定められた変換値に応じてロールの回転角度から糊付けされた壁装材長さを算出する演算手段とを備え、　
　前記回転検出手段は、前記ロールの軸端に装着されたスリットプレートと、このスリットプレートのスリットの回転により生じる光の通過の有無に応じたＯＮ，ＯＦＦのスイッチングによる検出信号を発するフォトマイクロセンサーとを備えた自動壁紙糊付機。」なる技術事項（以下、「引用文献２記載の技術事項」という。）が記載されている。　
　
　ここで、上記［相違点１］及び［相違点２］について検討する。　
引用文献１記載の発明と引用文献２記載の技術事項とは、両者共に、自動壁紙糊付機に関する技術である点で共通している。　
　したがって、引用文献１記載の発明における自動壁紙糊付機において、「検出手段」等の具体的なものとしての引用文献２記載の技術事項を適用し、上記［相違点１］及び［相違点２］に係る本願発明の構成とすることは、当業者が格別困難なく想到し得るものである。　
　
　次に、上記［相違点３］について検討する。　
　一般に、ある種の信号に応じた磁界を発生させる１次側コイルと、１次側コイルで発生された磁界に応じた電気信号を発生させる２次側コイルからなる、空間を介して設けられた送受信手段は、従来周知の技術（必要ならば、特開平７−２８２２１３号公報、特開平１−１８１１７９号公報等参照されたい。）にすぎず、また、機器の丸洗い洗浄のために、有線による送受信手段に代えて、該電磁誘導を利用し、空間を介して設けられた送受信手段を適用することもまた、従来周知の技術（例えば、特開平５−８４１２６号公報の【０００６】〜【０００９】、特開平５−６８６３４号公報の【０００３】〜【０００５】の記載等参照されたい。）にすぎない。　
　なお、自動壁紙糊付機において、丸洗い洗浄を行い得るよう構成することは引用文献１にも記載されており、更に、該構成は従来周知の技術（例えば、上掲した実願平５−７３１８６号（実開平７−３７３６８号）のＣＤ−ＲＯＭの【００１７】〜【００１９】等参照されたい。）である。　
　したがって、引用文献１記載の発明における自動壁紙糊付機に、上記引用文献２記載の技術事項を適用する際、機器の丸洗い洗浄を効率的になすように、引用文献１記載の発明における「送受信手段」に上記従来周知の技術である送受信手段を適用して、上記［相違点３］に係る本願発明の構成とすることは、当業者が格別困難なく想到し得るものである。　
　なお、該従来周知の技術を適用するにあたり、受信側にある演算手段に「受信信号をカウント」する機能を持たせることは、送受信信号の性質に鑑みて、当業者が適宜に設計し得る事項である。　
　
　また、本願発明を全体として検討しても、引用文献１記載の発明、引用文献２記載の技術事項及び上記従来周知の技術から予測される以上の格別の効果を奏するとも認められない。　
　
第５．むすび　
　したがって、本願発明は、引用文献１記載の発明、引用文献２記載の技術事項及び従来周知の技術に基づいて当業者が容易に発明をすることができたものであるから、特許法第２９条第２項の規定により特許を受けることができない。　
　よって、結論のとおり審決する。